(57)【特許請求の範囲】
【請求項１】
リール本体の両側板間に回転自在に支持したスプールを一方の側板に設けたハンドルで回転可能とした両軸受型リールにおいて、
前記リール本体は、反ハンドル側の側板が側面視円形状に形成されるとともに、ハンドル側の側板の外径が反ハンドル側の側板の外径よりも大きく、
反ハンドル側の側板とハンドル側の側板とを連結する少なくとも１つの連結部を備え、前記連結部のうち少なくとも前記スプールの前方で側板間を連結する連結部は、前記スプールから離れる外方向を向くその外面が平面状に形成されるとともに、前記スプールと対向するその内面が外方に向けて凸となる湾曲状に形成されて、反ハンドル側の側板に略円弧状の湾曲部によって接続されることを特徴とする両軸受型リール。
【請求項２】
前記連結部の前記湾曲部は、反ハンドル側の側板の外周端面上へと滑らかに傾斜して連なる曲面状の上面を有することを特徴とする請求項１に記載の両軸受型リール。
【請求項３】
前記湾曲部の前記上面は、反ハンドル側の側板の外周端面に前記スプールへ向けて傾斜して形成される面取り部上へと滑らかに傾斜して連なることを特徴とする請求項２に記載の両軸受型リール。
【請求項４】
前記連結部の上面および下面のうち少なくとも上面は、前記両側板に接続するその両側部分に対して中央部分が凹む湾曲形状を成すことを特徴とする請求項１から３のいずれか一項に記載の両軸受型リール。
【請求項５】
前記連結部は、その上面および下面が前記湾曲形状を成すことより、その両側部分の上下方向の幅寸法に対して中央部分の上下方向の幅寸法が小さいことを特徴とする請求項４に記載の両軸受型リール。
【請求項６】
前記連結部の上面は、前記外面及び／又は前記内面へ向けて傾斜して形成される面取り部を有することを特徴とする請求項１から５のいずれか一項に記載の両軸受型リール。
【請求項７】
前記リール本体は、前記スプールに釣糸を平行に巻回するレベルワインド装置を伴うことなく、前記ハンドルの回転駆動力を前記スプールに伝達する駆動機構がハンドル側の側板に設けられて成ることを特徴とする請求項１から６のいずれか一項に記載の両軸受型リール。
【発明の詳細な説明】
【技術分野】
【０００１】
本発明は、釣糸を巻回するスプールをリール本体の側板間に回転自在に支持した両軸受型リールに関する。
【背景技術】
【０００２】
従来、両軸受型リールのリール本体は、スプールに釣糸を平行に巻回するレベルワインド装置をスプール前方の側板間に配置する構成上、前方側に膨出した形状に構成されている（例えば、特許文献１参照）。また、前記リール本体の左右の側板は、フレームの枠板（内側板とも称される）の外側に、外側板（カバー体とも称される）を装着することで構成されており、フレームの枠板と外側板との間の空間に巻き取り駆動機構等の各種部品を組み込んでいる。
【０００３】
ところで、最近の釣りでは、メタルジグやラバージグ等の疑似餌を使った釣法（ジギングとも称される）が行われており、このようなジギングにも、上記した両軸受型リールが使用されている。両軸受型リールを用いてジギングを行う場合、釣人は、釣竿と共にリール本体を握持、保持した状態でシャクリ操作を頻繁に繰り返すとともにハンドルの巻き取り操作を行なう。また、このようなジギングでは、疑似餌に掛かった魚とのファイティング操作も激しいことから、リール本体は、確実にホールドすることができ、長期間使用しても負担がかからないことが望まれる。
【０００４】
この点、特許文献１に開示された形状の両軸受型リールは、実釣時にリール本体の反ハンドル側の側板を掌で保持する際、膨出した部分で引っ掛かりがあるため、不必要な動きが制限されて保持できるものの、その保持位置・状態が固定されてしまう。すなわち、反ハンドル側の手の自由度がなくなり、シャクリ操作や魚とのファイティング操作において、強く長時間掌で保持していると痛くなり、操作に支障をきたしてしまう。また、スプールに巻回される釣糸の糸巻量は多い方が好ましいが、糸巻量を多くするためにスプールフランジを大径化すると、その分、側板の前後方向の長さも長くなってしまい、結果としてホールド性が悪化したり重量化してしまう。
【０００５】
そこで、レベルワインド装置を設けることなく、リール本体の反ハンドル側の側板を側面視円形状に形成した両軸受型リールが知られている（例えば、特許文献２参照）。この公知例のように、反ハンドル側の側板を円形状に構成することで、掌で握り込んだ状態のまま必要に応じて位置をずらすことができるため、ジギングする際の操作性の向上が図れるようになる。また、この公知例では、ハンドルの巻き取りの効率化が図れるように、大型のドライブギアを組み込むようにしており、ハンドル側の側板については、円形ではなく部分的に膨出させて、その膨出部分にドライブギアの一部を配設し、リール本体として極力、重量化しないように構成している。
【先行技術文献】
【特許文献】
【０００６】
【特許文献１】実開昭６０−４９７７２号
【特許文献２】特開２００４−１７３５２０号
【発明の概要】
【発明が解決しようとする課題】
【０００７】
ところで、特許文献２に開示されるような両軸受型リールでは、ハンドル側の側板に、前述したように大型のドライブギアを組み込むようにするため、具体的には、ハンドルの回転駆動力をスプールに伝達する巻き取り駆動機構、ドラグ機構、クラッチ機構等、各種の機能部品を収容するようにするため、リール本体１は、ハンドル側の側板の外径が反ハンドル側の側板の外径よりも大きくなる場合が多々ある。そのような場合、ハンドル側の側板と反ハンドル側の側板とを軸方向で連結する連結部は、この側板間の外径差により、また、側板間に配設されるスプールの所望の外径（所望の糸巻量）を確保する必要があることから、反ハンドル側の側板の側でその肉厚が薄くなり易く、したがって、その部位で連結部の剛性が低下し、必要な強度を確保できなくなる虞がある。
【０００８】
また、特許文献２に開示されるようなレベルワインド装置を伴わない両軸受型リールでは、スプールに釣糸を巻き取る際、釣竿を握持、保持している手の掌をリール本体の反ハンドル側の側板の外側面に当接させてその手の親指の腹を側板の外周端面に載置してホールドした状態から、その載置した親指をスプール前方に配置される前記連結部上へと移動させるとともに連結部に沿って左右に往復動させて、連結部上を通過する釣糸をスプールに対して均等に巻回（平行巻き）されるように案内するが、特許文献２では、連結部が軸方向に真っ直ぐに延びた略直方体状の単なる支柱として形成されているため、側板の外周端面に載置した親指をスプール前方に配置される連結部上へと移動させる際に急激な落差もあって滑り易く、安定した保持力でスプールへの釣糸の平行巻き案内操作へと滑らかに移行してその操作をうまく確実に行なえるとは言い難い。
【０００９】
本発明は、上記した問題に着目してなされたものであり、外径の異なる側板間を連結する連結部の必要な強度を確保しつつ、連結部上を通過する釣糸をスプールへと均等に巻回する連結部上での指の案内操作を滑り難い安定した保持力で行なうことができる両軸受型リールを提供することを目的とする。
【課題を解決するための手段】
【００１０】
上記した目的を達成するために、本発明は、リール本体の両側板間に回転自在に支持したスプールを一方の側板に設けたハンドルで回転可能とした両軸受型リールにおいて、前記リール本体は、反ハンドル側の側板が側面視円形状に形成されるとともに、ハンドル側の側板の外径が反ハンドル側の側板の外径よりも大きく、反ハンドル側の側板とハンドル側の側板とを連結する少なくとも１つの連結部を備え、前記連結部のうち少なくとも前記スプールの前方で側板間を連結する連結部は、前記スプールから離れる外方向を向くその外面が平面状に形成されるとともに、前記スプールと対向するその内面が外方に向けて凸となる湾曲状に形成されて、反ハンドル側の側板に円弧状の湾曲部によって接続されることを特徴とする。
【００１１】
上記した構成の両軸受型リールでは、外径の異なる側板間を連結する連結部の外面が平面状に形成されるため、すなわち、釣竿を握持、保持している手の掌をリール本体の反ハンドル側の側板の外側面に当接させてリール本体を保持する際にその保持する手の指や掌の付け根などが接触し得る連結部の部位が平坦になっているため、フィット感の良いリール本体の良好な保持性を実現することができる。また、スプールと対向する連結部の内面が外方に向けて凸となる湾曲状に形成されているため、連結部の存在によってスプールの外径を制限することなく（スプールの所望の外径（所望の糸巻量）を確保しつつ）、側板間の外径差に起因して特に薄くなりがちな連結部の反ハンドル側の肉厚を大きく確保してその剛性を高めることが容易になる。
【００１２】
このような作用効果は、特に、連結部が反ハンドル側の側板に円弧状の湾曲部によって接続されることにより促進される。すなわち、連結部は、その内面の湾曲形状と相俟って湾曲部で反ハンドル側の側板に接続されることにより、湾曲部が反ハンドル側の側板から張り出すように延びるため、反ハンドル側の連結部の肉厚を更に大きく確保してその剛性を更に高めることが可能となる。
【００１３】
また、このように反ハンドル側の側板から張り出すように延びる湾曲部は、特に連結部がスプールの前方にある場合には、ここへ移動してくる指の前後方向の滑りを抑制してそのホールド性を高めることもできる。すなわち、前述したように、スプールに釣糸を巻き取る際には、釣竿を握持、保持している手の掌をリール本体の反ハンドル側の側板の外側面に当接させてその手の親指の腹を側板の外周端面に載置してホールドした状態から、その載置した親指をスプール前方に配置される前記連結部上へと移動させるとともに連結部に沿って左右に往復動させて、連結部上を通過する釣糸をスプールに対して均等に巻回（平行巻き）されるように案内するが、反ハンドル側の側板から張り出すように湾曲部が延びていれば、側板の外周端面に載置した親指をスプール前方に配置される連結部上へと移動させる際に親指が前後方向に滑ることなく安定した保持力でスプールへの釣糸の平行巻き案内操作へとスムーズに移行することができ、その操作をうまく確実に行なうことができる。言い換えると、湾曲部は、リール本体を保持する手の親指を滑り難く支える（湾曲部の存在により親指が前後に踏ん張れる）ため、握持保持力が向上してシャクリ操作などをスムーズに行なえ、魚とのファイトが確実に行なえる。また、湾曲部は、連結部上を通過する釣糸の糸当たりを良くし、釣糸を傷付けずにスムーズにスプールへと案内する機能も有する。
【００１４】
なお、以上のような構成の連結部は、無論、スプールの前方だけでなく、スプールの後方に設けられてもよく、あるいは、それ以外の位置に設けれてもよく、その数および位置は限定されない。
【００１５】
また、上記構成において、連結部の湾曲部は、反ハンドル側の側板の外周端面上（あるいは、更には反ハンドル側の側板の外周端面に前記スプールへ向けて傾斜して形成される面取り部上）へと滑らかに傾斜して連なる曲面状の上面を有することが好ましい。このようにすると、リール本体を保持する手の指を反ハンドル側の側板の外周端面上からスプール前方に配置される連結部の上面へと更に滑らかに違和感なく移動させることができ、指による釣糸案内操作へとスムーズに移行することができる。
【００１６】
また、上記構成において、連結部の上面および下面のうち少なくとも上面は、両側板に接続するその両側部分に対して中央部分が凹む湾曲形状を成すことが好ましい。このように連結部の上面の中央部分が凹状に湾曲されていれば、特に指を連結部に沿って左右に往復動させる釣糸平行巻き案内操作時に指の滑りを効果的に抑制することができ、また、感触（指の接触面積と指圧）を通して指の支持位置を認識できるため、釣糸巻き取り時のスプールへの指による糸案内を確実に且つ正確に行なうことができる。また、このような凹状の上面は、平行巻きされる釣糸の糸当たりを抑制し、釣糸を傷付けずにスムーズにスプールへと案内する機能も有する。
【００１７】
また、上記構成において、連結部は、その上面および下面が前記湾曲形状を成すことより、その両側部分の上下方向の幅寸法に対して中央部分の上下方向の幅寸法が小さいことが好ましい。このようにすると、側板間の外径差に起因して特に薄くなりがちな連結部の反ハンドル側の肉厚を大きく確保してその剛性を高めつつ、前述した作用効果を有する湾曲形状の上面を容易に実現することができる。
【００１８】
また、上記構成において、連結部の上面は、外面及び／又は内面へ向けて傾斜して形成される面取り部を有することが好ましい。このような面取り部は、釣糸平行巻き案内操作を行なう指が接触する上面に対する指当たりを良くし、長時間操作しても痛みや疲れが生じ難い。
【００１９】
また、上記構成において、リール本体は、スプールに釣糸を平行に巻回するレベルワインド装置を伴うことなく、ハンドルの回転駆動力をスプールに伝達する駆動機構がハンドル側の側板に設けられて成ることが好ましい。このように駆動機構をハンドル側の側板に集約配置すると、反ハンドル側の側板を薄く形成できるため、特にレベルワインド装置を伴わないジギングに適した両軸受型リールにおいて必要とされる反ハンドル側の高いリール保持性および掌に対する良好なフィット感を容易に実現できる。
【発明の効果】
【００２０】
本発明によれば、外径の異なる側板間を連結する連結部の必要な強度を確保しつつ、連結部上を通過する釣糸をスプールへと均等に巻回する連結部上での指の案内操作を滑り難い安定した保持力で行なうことができる両軸受型リールが得られる。
【図面の簡単な説明】
【００２１】
【図１】本発明に係る両軸受型リールの一実施形態を示す平面図である。
【図２】図１に示す両軸受型リールの正面図である。
【図３】図１に示す両軸受型リールの反ハンドル側の左側面図である。
【図４】図１に示す両軸受型リールのハンドル側の右側面図である。
【図５】図１に示す両軸受型リールの断面図である。
【図６】図１の両軸受型リールのリール本体のフレームの平面図である。
【図７】図６のフレームの前方から見た正面図である。
【図８】（ａ）は図６のフレームの横断面図（前後方向の面で切った断面図）、（ｂ）は（ａ）のＡ−Ａ線に沿う断面図である。
【図９】リール本体の反ハンドル側の側板を握持保持する手の親指を該側板の外周端面上からスプール前方の連結部の上面へと移行させる過程を二点鎖線で示す図１の両軸受型リールの平面図である。
【発明を実施するための形態】
【００２２】
以下、図１から図９を参照して本発明に係る両軸受型リールの一実施形態について説明する。なお、以下の説明において、前後方向および左右方向は、図１に記載の方向と定義し、また、上下方向は、図２に記載の方向と定義する。
【００２３】
本実施形態に係る両軸受型リールは、スプールに釣糸を平行に巻回するレベルワインド装置が設けられることなくジギングする上で最適な構造となるように構成されたものであり、リール本体１は、左側板１Ａ、右側板１Ｂ、及び両側板１Ａ，１Ｂ間に回転自在に支持したスプール３を備えている。本実施形態では、右側板１Ｂ側にハンドル５を設けており、ハンドル５を巻き取り操作することでスプール３を回転駆動する構成となっている（右ハンドル式）。
【００２４】
リール本体１は、左右の側板１Ａ，１Ｂを構成するフレーム７を備えている。このフレーム７は、例えば、アルミニウム合金の金属材等によって一体形成されており、左側板（反ハンドル側の側板）１Ａそのものを構成すると共に、後述するカバー体１５を装着した状態で右側板１Ｂを構成している。すなわち、フレーム７は、図６および図７に明確に示されるように、左側板７Ａと右枠体７Ｂを備えており、左側板７Ａがリール本体１の左側板１Ａを構成し、右枠体７Ｂにカバー体１５を装着することでリール本体１の右側板１Ｂを構成する。しかしながら、側板１Ａ，１Ｂの形態はこのようなフレーム構造に限定されない。
【００２５】
一例としての前記フレーム構造において、フレーム７は、左側板７Ａと右枠体７Ｂとを連結する連結部を備えている。本実施形態では、スプール３の前方に前連結部７Ｃ、スプール３の後方に後連結部７Ｄ、および、スプール３の下方に隣接して２つの下連結部７Ｅが設けられており、これらの連結部は、左側板７Ａおよび右枠体７Ｂと共に一体形成されている。なお、下連結部７Ｅには、釣竿のリールシートに装着されるリール脚８が一体的に装着されている（リール脚はフレーム７と一体形成されていてもよい）。なお、本実施形態において、右枠体７Ｂは、スプール３を右側から挿入して着脱できるように開口７ｇ（図６および図８の（ａ）参照）を有するリング状に形成されるが、そのような構造に限定されない。
【００２６】
フレーム７の左側板７Ａは、図３に示すように、外周形状が側面視円形状に構成されている。左側板７Ａは、内部が中実構造で薄肉厚化されており、釣竿を握持、保持している手の掌が外側面７ａに当接し、その手の親指が外周端面（円周面）７ｂに載置されてホールドされる略円柱形状になっている。本実施形態では、ホールド性（掌が当たる感触）が向上するように、外側面７ａは軸方向に多少膨出しており（図１，２，６，７参照）、また、外周端面７ｂに載置した親指が外側面７ａとの間で違和感が生じないように、外周端面７ｂの外側には、外側面７ａに移行するように傾斜した円周テーパ７ｃが形成されている。また、外周端面７ｂに載置した親指がスムーズにサミング操作へと移行できるように、外周端面７ｂの内側（スプール３側）には、左側板７Ａに隣接するスプール３のフランジ３ａ側へ滑らかに移行するように傾斜した面取り部７ｄが形成されている。
【００２７】
左側板７Ａには、図５に示すように、スプール３のフランジ３ａが収容される環状の凹所７ｅが形成されている（凹所７ｅの内径は、スプール３のフランジ３ａの外径よりも僅かに大きく形成されている）。また、左側板７Ａの中心領域には、凹部７ｆが形成されており、その凹所７ｆ内には軸受１０が配設され、スプール３の駆動軸３Ａの左側端部を回転自在に支持している。
【００２８】
さらに、本実施形態では、左側板７Ａ内に、スプール３の釣糸繰り出し方向の回転を阻止する公知のスプールストッパ１２が設置されている。このスプールストッパ１２は、左側板７Ａの外側面７ａから突出するスライドレバー１２ａと、スライドレバー１２ａのスライド操作によって駆動されるリンク機構１２ｂと、リンク機構１２ｂに連結されて、スプール３の駆動軸３Ａに回り止め固定されたラチェット３Ｂと係脱されるストッパ１２ｃとを備えている。このように構成されたスプールストッパ１２は、スライドレバー１２ａをスライド操作することにより、ストッパ１２ｃをラチェット３Ｂに係合してスプール３の釣糸繰り出し方向の回転を阻止する状態と、ストッパ１２ｃをラチェット３Ｂに非係合にしてスプール３の釣糸繰り出し方向の回転を可能にする状態とに切り換え可能としている。
【００２９】
また、リング状の右枠体７Ｂは、左側板７Ａと同様、側面視で円形状に構成されており、その外径は、左側板７Ａの外径よりも大きく形成されている。すなわち、ハンドル側の側板１Ｂには、後述するように、ハンドルの回転駆動力をスプールに伝達する巻き取り駆動機構、ドラグ機構、クラッチ機構等、各種の機能部品が収容されることから、リール本体１は、左側板１Ａ（７Ａ）の外径よりも右側板１Ｂ（右枠体７Ｂ）の外径の方が大きい構成となっている。
【００３０】
スプール３は、釣糸が巻回される釣糸巻回胴部３ｂと、その両側に形成されて左側板７Ａに隣接するフランジ３ａとを備えており、釣糸巻回胴部３ｂに巻回される釣糸は、フランジ３ａによってその巻回容量が特定される。また、スプール３の中心部には、駆動軸３Ａが挿通固定されており、その駆動軸３Ａのスプール３の左側にラチェット３Ｂが回り止め固定されるとともに、左側端部が軸受１０によって左側板１Ａ（フレーム７の左側板７Ａ）に回転可能に支持される。また、駆動軸３Ａのスプール３の右側には、軸受３Ｃが配設されるとともに、その軸方向外方に、後述するクラッチ機構によって軸方向に摺動されるピニオンギア２３が係脱するピン３Ｄが設けられている。そして、ピン３Ｄが設けられる位置よりもハンドル５側の駆動軸３Ａの部分は、小径化されてピニオンギア２３に挿通されている（ピニオンギア２３に挿通される小径化された部分を駆動軸３Ａ´とする）。
【００３１】
フレーム７の右枠体７Ｂには、カバー体１５が着脱可能に固定され、右枠体７Ｂとカバー体１５とによってリール本体１の右側板１Ｂが構成される。このカバー体１５は、右枠体７Ｂとの間に収容スペースＳが生じるように凹状に形成されており、収容スペースＳ内に各種の機能部品が配設されている。なお、カバー体１５は、基本的に側面視で円形状に構成されているが、ハンドル５の巻き取り効率を向上するために、ハンドル軸５Ａには大きいドライブギアを装着するようにしている。このため、図４に示すように、カバー体１５には、部分的に略半円状に膨出する膨出部１５Ａが形成されており、その部分にドライブギアを収容するようにしている。
【００３２】
以下、収容スペースＳ内に配設される各種の機能部品について説明する。
上記したように、収容スペースＳ内には、ハンドル５の回転駆動力をスプール３に伝達する巻き取り駆動機構２０、スプール３から繰り出される釣糸に対して所望の制動力を付与するドラグ機構５０、および、スプール３を巻き取り状態／フリー回転状態に切り換えるクラッチ機構７０が配設されるが、本実施形態では、カバー体１５に装着される支持部材（セットプレートとも称する）１６とカバー体１５との間に収容スペースＳを形成し、この収容スペースＳ内に前記各機構を配設している。
【００３３】
ここで巻き取り駆動機構２０の構成について説明する。
上記したように、本実施形態では、スプール３を回転駆動するハンドル５を右側板１Ｂ側に設置しており、支持部材１６とカバー体１５との間の収容スペースＳには巻き取り駆動機構２０が配設される。巻き取り駆動機構２０は、ハンドル５が装着されたハンドル軸５Ａと、このハンドル軸５Ａに回転可能に装着されたドライブギア２１と、ドライブギア２１に噛合するピニオンギア２３とを備えている。
【００３４】
ハンドル軸５Ａは、その端部に巻き取り操作されるハンドル５が装着されており、カバー体１５との間に配設される軸受２５と、右枠体７Ｂに形成された凹所１６ｇとの間に配設される軸受２６とによって右側板１Ｂに対して回転可能に支持されている。ドライブギア２１と噛合されるピニオンギア２３は、スプール３の駆動軸３Ａ´を挿通させており、駆動軸３Ａ´に対して軸方向に摺動できるように支持されている。本実施形態では、ピニオンギア２３の両側部を、それぞれ軸受２７，２８によって回転可能に支持している。この場合、軸受２７は、支持部材１６の貫通孔１６ｅに配設されており、軸受２８は、カバー体１５に装着されスプールの駆動軸３Ａ´の端面に当て付いてスプールの回転に制動力を付与する公知の制動装置２９に配設されている。
【００３５】
ハンドル軸５Ａには、カバー体１５との間に公知の一方向クラッチ３０が配設されており、ハンドル５の釣糸巻き取り方向の回転を許容し、逆回転を阻止している。また、ハンドル軸５Ａ部分には、スプール３から繰り出される釣糸に対して所望の制動力を付与する公知のドラグ機構５０が配設されている。このドラグ機構５０は、ドライブギア２１に形成された環状凹所２１ａ内に配設された複数枚の制動板５１と、ハンドル軸５Ａに軸方向に移動不能に回り止め固定され、ドライブギア２１と面接するラチェットギア５２と、ハンドル軸５Ａに配設され、回転操作することで軸方向に移動する操作ノブ５５とを備えている。これにより、操作ノブ５５を回転操作すると、一方向クラッチ３０の内輪を介して制動板５１が押圧されて、ドライブギア２１にはハンドル軸５Ａとの間で所望の押圧力が作用する。すなわち、操作ノブ５５を回転操作することで、制動板２１に対する押圧力を調整してスプール３から繰り出される釣糸に対して所望のドラグ力を作用させることが可能となる。
【００３６】
なお、ラチェットギア５２には、係止爪（図示せず）が係合可能となっており、一方向クラッチ３０の逆転防止機能に滑りが生じた際に、ハンドル軸５Ａの逆回転を確実に阻止できるようになっている。
【００３７】
支持部材１６には、スプール３を巻き取り状態／フリー回転状態に切り換える公知のクラッチ機構７０が配設されている。このクラッチ機構７０は、右側板１Ｂに配設され外周面に沿うように回動可能に支持された操作部材７１と、支持部材１６に回動可能に支持され、操作部材７１の操作に伴って回動するクラッチプレート７２と、ピニオンギア２３の外周面に形成された円周溝と係合し、クラッチプレート７１の回動操作によってピニオンギア２３を軸方向に摺動させる係合部材７４とを備えている。すなわち、操作部材７１を操作することでピニオンギア２３を軸方向に摺動させ、ピニオンギア２３の断面非円形の端部２３ｂをスプール３の駆動軸３Ａに設けられたピン３Ｄと係脱させて動力の伝達状態（クラッチＯＮ状態）と、動力の遮断状態（クラッチＯＦＦ状態）との間で切り換えできるよう構成されている。この場合、ラチェットギア５２および支持部材１６には、ハンドル５を巻き取り操作した際、クラッチ機構７０をＯＦＦ状態からＯＮ状態に自動復帰させる復帰機構が設けられている。
【００３８】
上述したように、カバー体１５には、ハンドル軸５Ａに装着されたドライブギア２１を部分的に収容するように、略半円状に膨出する膨出部１５Ａが形成されている。この膨出した部分は、右枠体７Ｂにネジによって取着され略半円状に形成された閉塞部材６１（図３参照）によって閉塞される。すなわち、上記したように、支持部材１６が取り付けられたカバー体１５を右枠体７Ｂに取り付けると、膨出部１５Ａは、右枠体７Ｂに取着された閉塞部材６１によってそのまま閉塞されるようになっている。
【００３９】
ここで、図６〜図８を参照して、フレーム７の左側板７Ａと右枠体７Ｂとを連結する前連結部７Ｃ（スプール３の前方で側板間（本実施形態では左側板７Ａと右枠体７Ｂとの間）を連結する連結部）および後側連結部７Ｄ（スプール３の後方で側板間（本実施形態では左側板７Ａと右枠体７Ｂとの間）を連結する連結部）の形態を更に詳しく説明する。
【００４０】
図６〜図８に示されるように、連結部７Ｃ，７Ｄは、スプール３から離れる外方向を向くその外面８０（リール本体を保持した手が接触可能な径方向外方の外側面）が平面状に形成されるとともに、スプール３と対向するその内面８１が外方に向けて凸となる湾曲状に形成されており、反ハンドル側の側板である左側板７Ａに対して略円弧状の湾曲部８５によって接続されている。具体的には、連結部７Ｃ，７Ｄは、前後両側に互いにほぼ対向して配置されており、その外面８０が大径の右枠体７Ｂの外周端面と略面一となるように右枠体７Ｂの外周縁部から小径の左側板７Ａへ向けて真っ直ぐに（スプール３の駆動軸３Ａと平行な平面上で）軸方向に延びた後、その湾曲部８５によって前方から後方へと（あるいは、後連結部７Ｄの場合には後方から前方へと）径方向内側に向けて延びて小径の左側板７Ａの外周端面７ｂに対して接続される。なお、湾曲部８５の曲率半径は、例えば３ｍｍ〜１０ｍｍである。
【００４１】
この場合、湾曲部８５は、左側板７Ａの外周端面７ｂ上へと滑らかに傾斜して連なる曲面状の上面８５ａを有する。特に、本実施形態において、上面８５ａは、左側板７Ａの外周端面７ｂにスプール３へ向けて傾斜して形成される面取り部７ｄ上へと滑らかに傾斜して連なっている。なお、このような上面８５ａは、後述するように釣糸を平行巻き案内操作する指と接触し得る前連結部７Ｃのみに設けられても構わない。
【００４２】
また、湾曲部８５の上面８５ａと滑らかに連なる連結部７Ｃ，７Ｄの上面８２は、図７に明確に示されるように、両側板（ここでは、左側板７Ａと右枠体７Ｂ）に接続するその両側部分Ｐに対して中央部分Ｑが凹む湾曲形状を成している。特に、本実施形態では、連結部７Ｃ，７Ｄの上面８２および下面８７がこのような凹む湾曲形状を成すことより、連結部７Ｃ，７Ｄの両側部分Ｐの上下方向の幅寸法Ｗ１に対して中央部分Ｑの上下方向の幅寸法Ｗ２が小さくなっている。例えば、幅寸法Ｗ１は１０ｍｍ〜１８ｍｍであり、また、幅寸法Ｗ２は４ｍｍ〜１０ｍｍ（Ｗ１とＷ２との間の幅寸法差は６ｍｍ〜８ｍｍであることが好ましい）である。
【００４３】
また、連結部７Ｃ，７Ｄの上面８２（本実施形態では、下面８７も）は、外面８０へ向けて傾斜して形成される面取り部８８と、内面８１へ向けて傾斜して形成される面取り部８９とを有する（図７および図８参照）。この場合、上面８２に対する面取り部８８，８９の傾斜角度は、３０°〜７０°であることが好ましい。
【００４４】
このように、本実施形態の両軸受型リールでは、外径の異なる側板間（ここでは、左側板７Ａと右枠体７Ｂ）を連結する連結部７Ｃ，７Ｄの外面８０が平面状に形成されるため、すなわち、釣竿を握持、保持している手の掌をリール本体１の反ハンドル側の側板７Ａの外側面７ａに当接させてリール本体１を保持する際にその保持する手の指や掌の付け根などが接触し得る連結部７Ｃ，７Ｄの部位８０が平坦になっているため、フィット感の良いリール本体１の良好な保持性を実現することができる。また、スプール３と対向する連結部７Ｃ，７Ｄの内面８１が外方に向けて凸となる湾曲状に形成されているため、連結部７Ｃ，７Ｄの存在によってスプール３の外径を制限することなく（スプール３の所望の外径（所望の糸巻量）を確保しつつ）、側板１Ａ，１Ｂ間（左側板７Ａと右枠体７Ｂとの間）の外径差に起因して特に薄くなりがちな連結部７Ｃ，７Ｄの反ハンドル側の肉厚を大きく確保してその剛性を高めることが容易になる。
【００４５】
このような作用効果は、特に、連結部７Ｃ，７Ｄが左側板７Ａに円弧状の湾曲部８５によって接続されることにより促進される。すなわち、連結部７Ｃ，７Ｄは、その内面８１の湾曲形状と相俟って湾曲部８５で左側板７Ａに接続されることにより、湾曲部８５が左側板７Ａから前方に（または後方に）張り出すように延びるため、連結部７Ｃ，７Ｂの反ハンドル側の肉厚を更に大きく確保してその剛性を更に高めることが可能となる。
【００４６】
また、このように左側板７Ａから張り出すように延びる湾曲部８５は、特にスプール３の前方にある連結部７Ｃの場合に、ここへ移動してくる指の前後方向の滑りを抑制してそのホールド性を高めることもできる。すなわち、スプール３に釣糸を巻き取る際には、図９に示されるように、釣竿を握持、保持している手１００の掌をリール本体１の左側板７Ａの外側面７ａに当接させてその手１００の親指１０２の腹を側板７Ａの外周端面７ｂに載置してホールドした状態から、その載置した親指１０２をスプール前方に配置される前連結部７Ｃ上へと移動させるとともに連結部７Ｃに沿って左右に往復動させて、連結部７Ｃ上を通過する釣糸をスプール３に対して均等に巻回（平行巻き）されるように案内するが、左側板７Ａから張り出すように湾曲部８５が延びていれば、側板７Ａの外周端面７ｂに載置した親指１０２をスプール前方に配置される前連結部７Ｃ上へと移動させる際に親指１０２が前後方向に滑ることなく安定した保持力でスプール３への釣糸の平行巻き案内操作へとスムーズに移行することができ（図９の二点鎖線参照）、その操作をうまく確実に行なうことができる。言い換えると、湾曲部８５は、リール本体１を保持する手１００の親指１０２を滑り難く支える（湾曲部８５の存在により親指１０２が前後に踏ん張れる）ため、握持保持力が向上してシャクリ操作などをスムーズに行なえ、魚とのファイトが確実に行なえる。また、湾曲部８５は、連結部７Ｃ上を通過する釣糸の糸当たりを良くし、釣糸を傷付けずにスムーズにスプールへと案内する機能も有する。
【００４７】
また、本実施形態において、連結部７Ｃの湾曲部８５は、左側板７Ａの外周端面７ｂ上（本実施形態では、面取り部７ｄ上）へと滑らかに傾斜して連なる曲面状の上面８５ａを有するため、リール本体１を保持する手の指を左側板７Ａの外周端面７ｂ上から（面取り部７ｄおよび上面８５ａを通じて）スプール前方に配置される連結部７Ｃの上面８２へと更に滑らかに違和感なく移動させることができ、指による釣糸案内操作へとスムーズに移行することができる。
【００４８】
また、本実施形態において、連結部７Ｃの上面８２は、両側板（ここでは、左側板７Ａと右枠体７Ｂ）に接続するその両側部分Ｐに対して中央部分Ｑが凹む湾曲形状を成すため、特に指１０２を連結部７Ｃに沿って左右に往復動させる釣糸平行巻き案内操作時（図９参照）に指１０２の滑りを効果的に抑制することができ、また、感触（指の接触面積と指圧）を通して指１０２の支持位置を認識できるため、釣糸巻き取り時のスプール３への指による糸案内を確実に且つ正確に行なうことができる。また、このような凹状の上面８２は、平行巻きされる釣糸の糸当たりを抑制し、釣糸を傷付けずにスムーズにスプールへと案内する機能も有する。
【００４９】
また、本実施形態において、連結部７Ｃ，７Ｄは、その上面８２および下面８７が前記湾曲形状を成すことより、その両側部分Ｐの上下方向の幅寸法Ｗ１に対して中央部分Ｑの上下方向の幅寸法Ｗ２が小さくなっているため、側板（ここでは、左側板７Ａと右枠体７Ｂ）間の外径差に起因して特に薄くなりがちな連結部７Ｃ，７Ｄの反ハンドル側の肉厚を大きく確保してその剛性を高めつつ、前述した作用効果を有する湾曲形状の上面８２を容易に実現することができる。
【００５０】
また、本実施形態において、連結部７Ｃの上面８２は、外面８０および内面８１へ向けて傾斜して形成される面取り部８８，８９を有するため、釣糸平行巻き案内操作を行なう指が接触する上面８２に対する指当たりを良くすることができ、長時間操作しても痛みや疲れが生じ難い。
【００５１】
以上、本発明の実施形態について説明したが、本発明は、上記した実施形態に限定されることはなく、種々変形することが可能である。
例えば、右側板の形状やクラッチ機構の操作部材の配設位置や構成等、適宜変形することが可能である。また、本発明は、右側板にハンドルを装着したが左側板に装着してもよい。その場合には、連結部７Ｃ，７Ｄの湾曲部８５の位置が右側板の側となる。また、側板の構造、したがって、フレームの構造も前述した実施形態のような構造に限定されない。
【符号の説明】
【００５２】
１  リール本体
１Ａ，１Ｂ  側板
３  スプール
３ａ  フランジ
３ｂ  釣糸巻回胴部
３ｃ  面取り部
５  ハンドル
７  フレーム
７Ａ  左側板（反ハンドル側の側板）
７Ｂ  右枠体（ハンドル側の側板）
７ｂ  外周端面
７ｄ  左側板の面取り部
７Ｃ，７Ｄ，７Ｅ  連結部
８０  外面
８１  内面
８２  上面
８５  湾曲部
８８，８９  面取り部
Ｐ  両側部分
Ｑ  中央部分
【図１】
0006284497.tif 000002
【図２】
0006284497.tif 000003
【図３】
0006284497.tif 000004
【図４】
0006284497.tif 000005
【図５】
0006284497.tif 000006
【図６】
0006284497.tif 000007
【図７】
0006284497.tif 000008
【図８】
0006284497.tif 000009
【図９】
0006284497.tif 000010